(57)【要約】【課題】局間でのリコール機能には複雑な操作を要する。【解決手段】複数の内線端末２を収容接続する第１交換機１０Ａと、少なくとも中継台３を収容接続する第２交換機１０Ｂと、第１交換機及び第２交換機間を通信接続する複数の通信路４とを有する中継台システム１であって、第１内線端末２ａ及び第２内線端末２ｂ間の通話中に、第１内線端末から中継台へのリコール操作を検出すると、第１内線端末及び中継台間の通話側通話路を確保すると共に、第２内線端末及び中継台間の保留側通話路を確保することで、第１交換機及び第２交換機を通じて中継台及び内線端末間の局間リコールを確保する第１ＣＰＵ１５Ａ及び第２ＣＰＵ１５Ｂとを有するようにした。【選択図】  図１
2005033256.tif 000002
【特許請求の範囲】
【請求項１】
複数の内線端末を収容接続する構内交換機と、少なくとも中継台を収容接続する中継台側構内交換機と、これら構内交換機及び中継台側構内交換機間を通信接続する複数の通話路とを有する中継台システムであって、
前記内線端末による相手端末との通話中に、同内線端末から前記中継台へのリコール操作を検出するリコール操作検出手段と、
このリコール操作検出手段にてリコール操作を検出すると、このリコール操作に関わる内線端末及び中継台間の通話側通話路を確保すると共に、前記リコール操作に関わる内線端末の相手端末及び中継台間の保留側通話路を確保することで、前記構内交換機及び前記中継台側構内交換機を通じて前記中継台及び前記内線端末間の局間リコールを確保する通話路確保手段とを有することを特徴とする中継台システム。
【請求項２】
前記中継台は、
リコール着信を報知するリコール着信報知手段を有し、
前記中継台側構内交換機は、
前記通話路確保手段にて前記通話側通話路及び保留側通話路を確保すると、前記通話側通話路及び保留側通話路を確保したことを示すリコール着信を前記リコール着信報知手段に報知する報知制御手段を有することを特徴とする請求項１記載の中継台システム。
【請求項３】
前記中継台は、
第１通話ボタン及び第２通話ボタンを有し、
前記中継台側構内交換機は、
前記通話路確立手段にて前記通話側通話路及び保留側通話路を確立すると、前記通話側通話路の操作用に前記第１通話ボタンを割り当て、前記保留側通話路の操作用に前記第２通話ボタンを割り当てるボタン割当手段を有することを特徴とする請求項１又は２記載の中継台システム。
【発明の詳細な説明】
【０００１】
【発明の属する技術分野】
本発明は、複数の内線端末を収容接続する構内交換機と、少なくとも中継台を収容接続する中継台側構内交換機とを有し、これら構内交換機及び中継台側構内交換機間、すなわち局間で内線端末の要求に応じて中継台を呼び返す局間リコール機能を実現した中継台システムに関する。
【０００２】
【従来の技術】
従来、このような中継台システムとしては、次のような技術が知られている（例えば特許文献１参照）。
【０００３】
特許文献１の中継台システムは、内線端末及び中継台を収容した同一構内交換機において、何れかの中継台が着信を受け付けると、この着信呼を内線端末に転送し、この着信呼が転送された内線端末が同着信呼に応答するのであるが、例えば同内線端末から第１リコール操作を検出すると、同着信呼を保留したまま、同着信呼を転送した中継台を呼び返し、また、例えば同内線端末から第２リコール操作を検出すると、同着信呼を保留したまま、全中継台に呼び出しをかける局内リコール機能を備えたものである。
【０００４】
このような特許文献１の中継台システムによれば、内線端末からの第１リコール操作に応じて同着信呼を保留したまま、同着信呼を転送した中継台を呼び返し、また、同内線端末からの第２リコール操作に応じて同着信呼を保留したまま、全中継台を呼び出すようにしたので、柔軟性に優れた局内リコール機能を実現することができる。
【０００５】
さらに特許文献１の中継台システムによれば、中継台のユーザは、局内リコール機能で保留中の着信呼を簡単な操作で応答することができる。
【０００６】
【特許文献１】
特開平６−３１１２４６号公報（要約書、図１及び図２参照）
【０００７】
【発明が解決しようとする課題】
しかしながら、上記従来の中継台システムによれば、中継台及び内線端末が同一構内交換機内に収容接続されているため、内線端末側で着信呼を保留したまま、同着信呼を転送した中継台を呼び返すことができ、さらに中継台側で保留中の着信呼に応答する局内リコール機能を実現しているが、中継台及び内線端末が異なる構内交換機内に収容接続されている場合、構内交換機間で中継台及び内線端末間の通話路を確保することで中継台及び内線端末間の通話を確立することができるものの、この内線端末にて保留中の着信呼は中継台の保留に切り替えることができず、中継台にて保留中の着信呼に応答する場合には内線端末との通話を切断しなければならず、局間でのリコール機能を実現することができない。
【０００８】
本発明は上記点に鑑みてなされたものであり、その目的とするところは、中継台及び内線端末が夫々異なる構内交換機に収容接続されたとしても、構内交換機間、すなわち局間でのリコール機能を実現することができる中継台システムを提供することにある。
【０００９】
【課題を解決するための手段】
上記目的を達成するために本発明の中継台システムは、複数の内線端末を収容接続する構内交換機と、少なくとも中継台を収容接続する中継台側構内交換機と、これら構内交換機及び中継台側構内交換機間を通信接続する複数の通話路とを有する中継台システムであって、前記内線端末による相手端末との通話中に、同内線端末から前記中継台へのリコール操作を検出するリコール操作検出手段と、このリコール操作検出手段にてリコール操作を検出すると、このリコール操作に関わる内線端末及び中継台間の通話側通話路を確保すると共に、前記リコール操作に関わる内線端末の相手端末及び中継台間の保留側通話路を確保することで、前記構内交換機及び前記中継台側構内交換機を通じて前記中継台及び前記内線端末間の局間リコールを確保する通話路確保手段とを有するようにした。
【００１０】
従って、本発明の中継台システムによれば、内線端末を収容接続する構内交換機と、中継台を収容接続する中継台側構内交換機とを有し、内線端末から中継台へのリコール操作を検出すると、内線端末及び中継台間で通話側通話路を確保すると共に、内線端末の相手端末及び中継台間で保留側通話路を確保することで、構内交換機及び中継台側構内交換機間を通じて中継台及び内線端末間の局間リコールを確保するようにしたので、中継台及び内線端末が夫々異なる構内交換機に収容接続されたとしても、複雑な操作を要することなく、局間でのリコール機能を実現することができる。
【００１１】
本発明の中継台システムは、前記中継台が、リコール着信を報知するリコール着信報知手段を有し、前記中継台側構内交換機は、前記通話路確保手段にて前記通話側通話路及び保留側通話路を確保すると、前記通話側通話路及び保留側通話路を確保したことを示すリコール着信を前記リコール着信報知手段に報知する報知制御手段を有するようにした。
【００１２】
従って、本発明の中継台システムによれば、通話側通話路及び保留側通話路を確保すると、リコール着信をリコール着信報知手段にて報知するようにしたので、中継台のユーザは、リコール着信、すなわち局間リコールの発生を認識することができる。
【００１３】
本発明の中継台システムは、前記中継台が、第１通話ボタン及び第２通話ボタンを有し、前記中継台側構内交換機は、前記通話路確立手段にて前記通話側通話路及び保留側通話路を確立すると、前記通話側通話路の操作用に前記第１通話ボタンを割り当て、前記保留側通話路の操作用に前記第２通話ボタンを割り当てるボタン割当手段を有するようにした。
【００１４】
従って、本発明の中継台システムによれば、通話側通話路の操作用に第１通話ボタン、保留側通話路の操作用に第２通話ボタンを夫々割り当てるようにしたので、中継台のユーザは、簡単な操作で、通話側通話路及び保留側通話路を操作することができる。
【００１５】
【発明の実施の形態】
以下、図面に基づいて本発明の実施の形態を示す中継台システムについて説明する。図１は本実施の形態を示す中継台システム内部の概略構成を示すブロック図である。
【００１６】
図１に示す中継台システム１は、複数の内線端末２を収容接続する第１交換機１０Ａと、少なくとも中継台３を収容接続する第２交換機１０Ｂと、これら第１交換機１０Ａ及び第２交換機１０Ｂ間を通信接続する通信路４とを有している。
【００１７】
第１交換機１０Ａは、複数の内線端末２（第１内線端末２ａ及び第２内線端末２ｂ等）と、複数の第１専用線トランク（以下、単に第１ＴＲＫと称する）１１Ａと、ＮＯ．７共通線信号方式でメッセージを送受信する第１メッセージ送受信装置（以下、単に第１ＣＳＵと称する）１２Ａと、これら内線端末２及び第１ＴＲＫ１１Ａ間の通話路を形成する第１通話路スイッチ（以下、単に第１ＳＷと称する）１３Ａと、局データや制御プログラム等の情報を記憶する第１メモリ（以下、単に第１ＭＥＭと称する）１４Ａと、この第１交換機１０Ａ全体を制御する第１中央制御装置（以下、単に第１ＣＰＵと称する）１５Ａとを有している。
【００１８】
第２交換機１０Ｂは、少なくとも中継台３と、複数の第２専用線トランク（以下、単に第２ＴＲＫと称する）１１Ｂと、ＮＯ．７共通線信号方式でメッセージを送受信する第２メッセージ送受信装置（以下、単に第２ＣＳＵと称する）１２Ｂと、中継台３及び第２ＴＲＫ１１Ｂ間の通話路を形成する第２通話路スイッチ（以下、単に第２ＳＷと称する）１３Ｂと、局データ及び制御プログラム等の情報を記憶する第２メモリ（以下、単に第２ＭＥＭと称する）１４Ｂと、この第２交換機１０Ｂ全体を制御する第２中央制御装置（以下、単に第２ＣＰＵと称する）１５Ｂとを有している。
【００１９】
中継台３は、後述する局間リコール機能によるリコール着信に応答するリコール応答ボタン２１と、局間リコール機能による通話側通話路の操作用にボタン割り当てされる第１通話ボタン２２と、局間リコール機能による保留側通話路の操作用にボタン割り当てされる第２通話ボタン２３とを有している。尚、リコール応答ボタン２１には、リコール着信の発生を報知する際に点滅表示するＬＥＤが備えられているものとする。
【００２０】
通信路４は、第１ＴＲＫ１１Ａ及び第２ＴＲＫ１１Ｂ間の複数の通話路４Ａと、第１ＣＳＵ１２Ａ及び第２ＣＳＵ１２Ｂ間のＮＯ．７共通信号線方式の制御線４Ｂとを有している。
【００２１】
第１ＣＳＵ１２Ａ及び第２ＣＳＵ１２Ｂは、制御線４Ｂを通じて様々なメッセージを送受信している。
【００２２】
では、ここで、これらメッセージの内、局間リコール機能に必要なメッセージについて説明する。図２乃至図５は局間リコール機能に関わるメッセージの内容を端的に示す説明図である。
【００２３】
この局間リコール機能とは、内線端末２及び中継台３が夫々異なる交換機に収容接続されたとしても、中継台３の着信呼転送による第１内線端末２ａ及び第２内線端末２ｂ間の通話中に、第１内線端末２ａからのリコール操作を検出すると、中継台３及び第２内線端末２ｂ間で保留側通話路を確保し、さらに中継台３及び第１内線端末２ａ間で通話側通話路を確保することで、中継台３側では、第２内線端末２ｂを保留したまま、第１内線端末２ａと通話することができ、さらには、第１内線端末２ａを切断することなく、第２内線端末２ｂとも通話することができるものである。
【００２４】
図２は保留側局間リコール起動メッセージの内容を端的に示す説明図である。尚、説明の便宜上、第１内線端末２ａからのリコール操作を検出し、第１内線端末２ａ及び中継台３間を通話側通話路、第２内線端末２ｂ及び中継台３間を保留側通話路とするものとする。
【００２５】
図２に示す保留側局間リコール起動メッセージ１００は、第２内線端末２ｂ及び中継台３間の保留側通話路を確保するための起動メッセージであり、保留側通話路に使用する回線番号（第１ＴＲＫ１１Ａ（保留側トランク）の識別番号）１０１と、発信者情報（第２内線端末２ｂの内線番号）１０２と、その他の付加情報１０３とを有している。
【００２６】
図３は通話側局間リコール起動メッセージの内容を端的に示す説明図である。
【００２７】
図３に示す通話側局間リコール起動メッセージ１１０は、第１内線端末２ａ及び中継台３間の通話側通話路を確保するための起動メッセージであり、通話側通話路に使用する回線番号（第１ＴＲＫ１１Ａ（通話側トランク）の識別番号）１１１と、発信者情報（第１内線端末２ａの内線番号）１１２と、保留側通話路で使用された回線番号（第２ＴＲＫ１１Ｂ（保留側対応トランク）の識別番号）１１３と、その他の付加情報１１４とを有している。
【００２８】
図４は通話側確保メッセージ又は保留側確保メッセージの内容を端的に示す説明図である。
【００２９】
図４に示す通話側確保メッセージ１２０Ａは、図３に示す通話側局間リコール起動メッセージ１１０に応じて通話側通話路を確保したことを示すメッセージであり、この通話側通話路に使用する回線番号（第２ＴＲＫ１１Ｂ（通話側対応トランク）の識別番号）１２１Ａと、着信者情報（中継台３の識別番号）１２２Ａとを有している。
【００３０】
また、保留側確保メッセージ１２０Ｂは、図２に示す保留側局間リコール起動メッセージ１００に応じて保留側通話路を確保したことを示すメッセージであり、この保留側通話路に使用する回線番号（第２ＴＲＫ１１Ｂ（保留側対応トランク）の識別番号）１２１Ｂと、着信者情報（中継台３の識別番号）とを有している。
【００３１】
図５は通話応答メッセージ又は保留応答メッセージの内容を端的に示す説明図である。
【００３２】
図５に示す通話応答メッセージ１３０Ａは、第１内線端末２ａ及び中継台３間の通話側通話路が通話状態になったことを示すメッセージであって、この通話側通話路に使用する回線番号（第２ＴＲＫ１１Ｂ（通話側対応トランク）の識別番号）１３１Ａと、応答者情報（中継台３の識別番号）１３２Ａとを有している。
【００３３】
また、保留応答メッセージ１３０Ｂは、第２内線端末２ｂ及び中継台３間の保留側通話路が保留状態になったことを示すメッセージであって、この保留側通話路に使用する回線番号（第２ＴＲＫ１１Ｂ（保留側対応トランク）の識別番号）１３１Ｂと、応答者情報（中継台３の識別番号）１３２Ｂとを有している。
【００３４】
尚、請求項記載の構内交換機は第１交換機１０Ａ、中継台側構内交換機は第２交換機１０Ｂ、リコール操作検出手段は第１ＣＰＵ１５Ａ、通話路確保手段は第１ＣＰＵ１５Ａ及び第２ＣＰＵ１５Ｂ、リコール着信報知手段はリコール応答ボタン２１に対応したＬＥＤ、報知制御手段及びボタン割当手段は第２ＣＰＵ１５Ｂに相当するものである。
【００３５】
次に本実施の形態を示す中継台システム１の動作について説明する。図６乃至図９は本実施の形態を示す中継台システム１の局間リコール起動処理に関わる動作シーケンスである。
【００３６】
図６に示す局間リコール起動処理とは、中継台３の着信呼転送による第１内線端末２ａ及び第２内線端末２ｂ間の通話中に、第１内線端末２ａから中継台３へのリコール操作を検出すると、局間リコール機能を起動する処理である。
【００３７】
図６において第１交換機１０Ａの第１ＣＰＵ１５Ａは、第１内線端末２ａ及び第２内線端末２ｂ間の通話中に（ステップＳ１１）、第１内線端末２ａからリコール操作（転送＋中継台呼出特番のダイヤル操作）を検出すると（ステップＳ１２）、第２内線端末２ｂを保留状態に設定する（ステップＳ１３）。
【００３８】
第１交換機１０Ａの第１ＣＰＵ１５Ａは、第２内線端末２ｂを保留状態に設定すると、保留音を第２内線端末２ｂに送出する（ステップＳ１４）。
【００３９】
第１交換機１０Ａの第１ＣＰＵ１５Ａは、空き第１ＴＲＫ１１Ａから保留側トランクを捕捉し（ステップＳ１５）、保留側通話路を確保すべく、図２に示す保留側局間リコール起動メッセージ１００を生成し（ステップＳ１６）、第１ＣＳＵ１２Ａ及び第２ＣＳＵ１２Ｂを経由して、保留側局間リコール起動メッセージ１００を第２交換機１０Ｂの第２ＣＰＵ１５Ｂに送信する（ステップＳ１７）。
【００４０】
第２交換機１０Ｂの第２ＣＰＵ１５Ｂは、保留側局間リコール起動メッセージ１００を受信すると、空き第２ＴＲＫ１１Ｂから、保留側トランクに対応した保留側対応トランクを捕捉したか否かを判定する（ステップＳ１８）。
【００４１】
第２交換機１０Ｂの第２ＣＰＵ１５Ｂは、保留側対応トランクを捕捉したのであれば、保留側対応トランクを捕捉した状態で待機し（ステップＳ１９）、保留側通話路を確保したことを示す保留側確保メッセージ１２０Ｂ（図４参照）を生成し（ステップＳ２０）、この保留側確保メッセージ１２０Ｂを第２ＣＳＵ１２Ｂ及び第１ＣＳＵ１２Ａを経由して、第１交換機１０Ａの第１ＣＰＵ１５Ａに送信する（ステップＳ２１）。
【００４２】
第１交換機１０Ａの第１ＣＰＵ１５Ａは、保留側確保メッセージ１２０Ｂを受信すると、空き第１ＴＲＫ１１Ａから通話側トランクを捕捉したか否かを判定する（ステップＳ２２）。
【００４３】
第１交換機１０Ａの第１ＣＰＵ１５Ａは、通話側トランクを捕捉したのであれば、この通話側トランクを捕捉することで（ステップＳ２３）、通話側通話路を確保すべく、図３に示す通話側局間リコール起動メッセージ１１０を生成し（ステップＳ２４）、この通話側局間リコール起動メッセージ１１０を、第１ＣＳＵ１２Ａ及び第２ＣＳＵ１２Ｂを経由して第２交換機１０Ｂの第２ＣＰＵ１５Ｂに送信する（ステップＳ２５）。
【００４４】
第２交換機１０Ｂの第２ＣＰＵ１５Ｂは、通話側局間リコール起動メッセージ１１０を受信すると、空き第２ＴＲＫ１１Ｂから、通話側トランクに対応した通話側対応トランクを捕捉したか否かを判定する（ステップＳ２６）。
【００４５】
第２交換機１０Ｂの第２ＣＰＵ１５Ｂは、通話側対応トランクを捕捉したのであれば、この通話側対応トランクを捕捉した状態で待機し（ステップＳ２７）、第１内線端末２ａからのリコール着信の発生を中継台３に通知する（ステップＳ２８）。
【００４６】
中継台３は、リコール着信を検出すると、このリコール着信を報知すべく、リコール応答キー２１に対応したＬＥＤを点滅する（ステップＳ２９）。尚、中継台３のユーザは、リコール応答キー２１に対応したＬＥＤの点滅表示でリコール着信の発生を認識することができる。
【００４７】
さらに第２交換機１０Ｂの第２ＣＰＵ１５Ｂは、ステップＳ２８にてリコール着信を中継台３に通知すると、保留側通話路及び通話側通話路に使用される回線番号等を局間リコールデータとして設定する（ステップＳ３０）。尚、この局間リコールデータの設定とは、保留側通話路及び通話側通話路に使用される回線番号や発信者情報や着信者情報等の局間リコールデータを第２ＭＥＭ１４Ｂに記憶管理するものである。
【００４８】
第２交換機１０Ｂの第２ＣＰＵ１５Ｂは、局間リコールデータを設定すると、通話側対応トランクを通じて呼出音を出力し（ステップＳ３１）、この呼出音を第１交換機１０Ａの通話側トランクを経由して第１内線端末２ａに送出する（ステップＳ３２）。
【００４９】
第２交換機１０Ｂの第２ＣＰＵ１５Ｂは、通話側通話路を確保したことを示す通話側確保メッセージ１２０Ａを生成し（ステップＳ３３）、この通話側確保メッセージ１２０Ａを、第２ＣＳＵ１２Ｂ及び第１ＣＳＵ１２Ａを経由して第１交換機１０Ａに送信することで（ステップＳ３４）、第１内線端末２ａ及び中継台３間で通話側通話路を確保すると共に、第２内線端末２ｂ及び中継台３間で保留側通話路を確保した状態で中継台３の応答待ち状態となって、この局間リコール起動処理を終了する。
【００５０】
また、第２交換機１０Ｂの第２ＣＰＵ１５Ｂは、ステップＳ１８にて保留側対応トランクが捕捉されたのでなければ、図７に示すＭ１に移行する。
【００５１】
図７のＭ１において第２交換機１０Ｂの第２ＣＰＵ１５Ｂは、保留側対応トランクが捕捉できなかったことを示す不完了メッセージを生成し（ステップＳ４１）、第２ＣＳＵ１２Ｂ及び第１ＣＳＵ１２Ａを通じて不完了メッセージを第１交換機１０Ａの第１ＣＰＵ１５Ａに送信する（ステップＳ４２）。
【００５２】
第１交換機１０Ａの第１ＣＰＵ１５Ａは、不完了メッセージを受信すると、局間リコール機能を起動することができないことを示す規制音を第１内線端末２ａに送出する（ステップＳ４３）。尚、第１内線端末２ａのユーザは、この規制音を受聴することで、局間リコールを起動することができなかったことを認識することができる。
【００５３】
また、第１交換機１０Ａの第１ＣＰＵ１５Ａは、図６に示すステップＳ１５にて捕捉した保留側トランクを解放することで（ステップＳ４４）、この局間リコール起動処理を終了する。尚、第１内線端末２ａのユーザは、所定操作に応じて、保留中の第２内線端末２ｂとの通話に戻すことができる。
【００５４】
また、第１交換機１０Ａの第１ＣＰＵ１５Ａは、図６に示すステップＳ２２にて通話側トランクが捕捉されたのでなければ、図８に示すＭ２に移行する。
【００５５】
図８のＭ２において第１交換機１０Ａの第１ＣＰＵ１５Ａは、局間リコール機能を起動することができなかったことを示す第１内線端末２ａに規制音を送出する（ステップＳ５１）。尚、第１内線端末２ａのユーザは、この規制音を受聴することで、局間リコールを起動することができなかったことを認識することができる。
【００５６】
第１交換機１０Ａの第１ＣＰＵ１５Ａは、切断メッセージを生成し（ステップＳ５２）、第１ＣＳＵ１２Ａ及び第２ＣＳＵ１２Ｂを通じて切断メッセージを第２交換機１０Ｂの第２ＣＰＵ１５Ｂに送信する（ステップＳ５３）。
【００５７】
第２交換機１０Ｂの第２ＣＰＵ１５Ｂは、ステップＳ１９にて捕捉した保留側対応トランクを解放し（ステップＳ５４）、切断完了メッセージを生成する（ステップＳ５５）。
【００５８】
第２交換機１０Ｂの第２ＣＰＵ１５Ｂは、第２ＣＳＵ１２Ｂ及び第１ＣＳＵ１２Ａを通じて切断完了メッセージを第１交換機１０Ａの第１ＣＰＵ１５Ａに送信する（ステップＳ５６）。
【００５９】
第１交換機１０Ａの第１ＣＰＵ１５Ａは、切断完了メッセージを受信すると、図６のステップＳ１５にて捕捉した保留側トランクを解放することで（ステップＳ５７）、この局間リコール起動処理を終了する。尚、第１内線端末２ａのユーザは、所定操作に応じて、保留中の第２内線端末２ｂとの通話に戻すことができる。
【００６０】
また、第２交換機１０Ｂの第２ＣＰＵ１５Ｂは、図６のステップＳ２６にて通話側対応トランクが捕捉されたのでなければ、図９に示すＭ３に移行する。
【００６１】
図９のＭ３において第２交換機１０Ｂの第２ＣＰＵ１５Ｂは、通話側対応トランクが捕捉できなかったことを示す不完了メッセージを生成し（ステップＳ６１）、第２ＣＳＵ１２Ｂ及び第１ＣＳＵ１２Ａを通じて不完了メッセージを第１交換機１０Ａの第１ＣＰＵ１５Ａに送信する（ステップＳ６２）。
【００６２】
第１交換機１０Ａの第１ＣＰＵ１５Ａは、不完了メッセージを受信すると、局間リコール機能を起動することができないことを示す規制音を第１内線端末２ａに送出する（ステップＳ６３）。尚、第１内線端末２ａのユーザは、この規制音を受聴することで、局間リコールを起動することができなかったことを認識することができる。
【００６３】
第１交換機１０Ａの第１ＣＰＵ１５Ａは、切断メッセージを生成し（ステップＳ６５）、第１ＣＳＵ１２Ａ及び第２ＣＳＵ１２Ｂを通じて切断メッセージを第２交換機１０Ｂの第２ＣＰＵ１５Ｂに送信する（ステップＳ６６）。
【００６４】
第２交換機１０Ｂの第２ＣＰＵ１５Ｂは、切断メッセージを受信すると、図６に示すステップＳ１９にて捕捉した保留側対応トランクを解放することで（ステップＳ６７）、切断完了メッセージを生成する（ステップＳ６８）。
【００６５】
第２交換機１０Ｂの第２ＣＰＵ１５Ｂは、第２ＣＳＵ１２Ｂ及び第１ＣＳＵ１２Ａを通じて切断完了メッセージを第１交換機１０Ａの第１ＣＰＵ１５Ａに送信する（ステップＳ６９）。
【００６６】
第１交換機１０Ａの第１ＣＰＵ１５Ａは、切断完了メッセージを受信すると、図６のステップＳ１５にて捕捉した保留側トランクを解放することで（ステップＳ７０）、この局間リコール起動処理を終了する。尚、第１内線端末２ａのユーザは、所定操作に応じて、保留中の第２内線端末２ｂとの通話に戻すことができる。
【００６７】
図６乃至図９に示す局間リコール起動処理によれば、中継台３の着信呼転送による第１内線端末２ａ及び第２内線端末２ｂの通話中に、第１内線端末２ａからのリコール操作を検出すると、第２内線端末２ｂ及び中継台３間で保留側通話路を確保すると共に、第１内線端末２ａ及び中継台３間で通話側通話路を確保することで、第１交換機１０Ａ及び第２交換機１０Ｂ間における中継台３及び第１内線端末２ａ間及び中継台３及び第２内線端末２ｂ間の局間リコールを確保するようにしたので、中継台３及び内線端末２が夫々異なる交換機に収容接続されたとしても、局間でのリコール機能を起動することができる。
【００６８】
次に局間リコール起動後の中継台３によるリコール応答処理に関わる処理動作について説明する。図１０は中継台システム１のリコール応答処理に関わる動作シーケンスである。
【００６９】
図１０に示すリコール応答処理とは、局間リコール起動後に中継台３のリコール応答操作があった場合に実行される処理である。
【００７０】
図１０において第２交換機１０Ｂの第２ＣＰＵ１５Ｂは、中継台３からのリコール応答ボタン２１のリコール応答操作を検出すると（ステップＳ８１）、第２ＭＥＭ１４Ｂに記憶中の局間リコールデータを読み出し（ステップＳ８２）、この局間リコールデータに基づいて保留側通話路に応答するための保留側ボタン割当メッセージを中継台３に送信する（ステップＳ８３）。
【００７１】
中継台３は、保留側ボタン割当メッセージを受信すると、第２通話ボタン２３に保留側を割り当てることになる（ステップＳ８４）。尚、第２通話ボタン２３をボタン操作することで、例えば保留中の第２内線端末２ｂを通話又は切断等をすることができる。
【００７２】
さらに第２交換機１０Ｂの第２ＣＰＵ１５Ｂは、保留側ボタン割当メッセージを送信後、捕捉済みの保留側対応トランクを通じて保留音を出力し（ステップＳ８５）、この保留音を第１交換機１０Ａの第１ＣＰＵ１５Ａに送信する（ステップＳ８６）。
【００７３】
さらに第２交換機１０Ｂの第２ＣＰＵ１５Ｂは、保留応答メッセージを生成し（ステップＳ８７）、第２ＣＳＵ１２Ｂ及び第１ＣＳＵ１２Ａを通じて、この保留応答メッセージを第１交換機１０Ａの第１ＣＰＵ１５Ａに送信する（ステップＳ８８）。
【００７４】
第１交換機１０Ａの第１ＣＰＵ１５Ａは、保留応答メッセージを受信すると、捕捉済みの保留側トランクと第２内線端末２ｂとを接続することで（ステップＳ８９）、保留側トランク及び保留側対応トランクを通じて中継台３及び第２内線端末２ｂ間を保留状態にする（ステップＳ９０）。尚、第２内線端末２ｂのユーザは、保留音を受聴することで保留状態であることを認識することができる。
【００７５】
さらに第２交換機１０Ｂの第２ＣＰＵ１５Ｂは、ステップＳ８２の局間リコールデータに基づいて通話側ボタン割当メッセージを中継台３に送信する（ステップＳ９１）。
【００７６】
中継台３は、通話側ボタン割当メッセージを受信すると、第１通話ボタン２２に通話側を割り当てることになる（ステップＳ９２）。尚、第１通話ボタン２２をボタン操作することで、例えば通話中の第１内線端末２ａを保留又は切断等をすることができる。
【００７７】
さらに第２交換機１０Ｂの第２ＣＰＵ１５Ｂは、通話側ボタン割当メッセージを送信後、通話応答メッセージを生成し（ステップＳ９３）、この通話応答メッセージを、第２ＣＳＵ１２Ｂ及び第１ＣＳＵ１２Ａを通じて第１交換機１０Ａの第１ＣＰＵ１５Ａに送信する（ステップＳ９４）。
【００７８】
さらに第１交換機１０Ａの第１ＣＰＵ１５Ａは、捕捉済みの通話側トランクと第１内線端末２ａとを接続することで（ステップＳ９５）、通話側トランク及び通話側対応トランクを通じて中継台３及び第１内線端末２ａ間を通話状態にし（ステップＳ９６）、この処理動作を終了する。
【００７９】
このリコール応答処理によれば、局間リコール起動後に中継台３からのリコール応答操作を検出すると、第１内線端末２ａ及び中継台３間を通話状態にし、第２内線端末２ｂ及び中継台３間を保留状態にし、さらに、中継台３の第１通話ボタン２２に通話側の第１内線端末２ａを割り当て、中継台３の第２通話ボタン２３に保留側の第２内線端末２ｂを割り当てるようにしたので、中継台３のユーザは、第１通話ボタン２２及び第２通話ボタン２３で通話中の相手と保留中の相手とを認識することができる。
【００８０】
さらに、中継台３のユーザは、第１通話ボタン２２及び第２通話ボタン２３をボタン操作することで、例えば第１内線端末２ａを切断することなく、保留中の第２内線端末２ｂに切替応答することができる。
【００８１】
本実施の形態によれば、内線端末２を収容接続する第１交換機１０Ａと、中継台３を収容接続する第２交換機１０Ｂとを有し、例えば中継台３の着信呼転送による第１内線端末２ａ及び第２内線端末２ｂ間の通話中に、第１内線端末２ａから中継台３へのリコール操作を検出すると、第１内線端末２ａ及び中継台３間で通話側通話路を確保すると共に、第２内線端末２ｂ及び中継台３間で保留側通話路を確保することで、第１交換機１０Ａ及び第２交換機１０Ｂ間を通じて中継台３及び内線端末２間の局間リコールを確保するようにしたので、中継台３及び内線端末２が夫々異なる構内交換機に収容接続されたとしても、複雑な操作を要することなく、局間でのリコール機能を実現することができる。
【００８２】
さらに、本実施の形態によれば、局間リコールを起動することで、中継台３側では、簡単な操作で、第２内線端末２ｂを保留したまま、第１内線端末２ａと通話することができ、さらには、第１内線端末２ａを切断することなく、第２内線端末２ｂとも通話することができる。
【００８３】
本実施の形態によれば、通話側通話路及び保留側通話路を確保すると、リコール応答ボタン２１に対応したＬＥＤを点滅表示するようにしたので、中継台３のユーザは、リコール着信、すなわち局間リコール機能の発生を認識することができる。
【００８４】
本実施の形態によれば、通話側通話路の操作用に第１通話ボタン２２、保留側通話路の操作用に第２通話ボタン２３を夫々割り当てるようにしたので、中継台３のユーザは、簡単な操作で、通話側通話路及び保留側通話路に応答することができる。
【００８５】
また、上記実施の形態においては、第１交換機１０Ａの第１内線端末２ａ及び第２内線端末２ｂ間の通話中に局間リコールを起動する例について説明したが、内線端末同士の通話ではなく、例えば第１内線端末２ａと外線との通話中であっても、同様の効果が得られることは言うまでもない。
【００８６】
【発明の効果】
上記のように構成された本発明の中継台システムによれば、内線端末を収容接続する構内交換機と、中継台を収容接続する中継台側構内交換機とを有し、内線端末から中継台へのリコール操作を検出すると、内線端末及び中継台間で通話側通話路を確保すると共に、内線端末の相手端末及び中継台間で保留側通話路を確保することで、構内交換機及び中継台側構内交換機間を通じて中継台及び内線端末間の局間リコールを確保するようにしたので、中継台及び内線端末が夫々異なる構内交換機に収容接続されたとしても、複雑な操作を要することなく、局間でのリコール機能を実現することができる。
【００８７】
本発明の中継台システムによれば、通話側通話路及び保留側通話路を確保すると、リコール着信をリコール着信報知手段にて報知するようにしたので、中継台のユーザは、リコール着信、すなわち局間リコールの発生を認識することができる。
【００８８】
本発明の中継台システムによれば、通話側通話路の操作用に第１通話ボタン、保留側通話路の操作用に第２通話ボタンを夫々割り当てるようにしたので、中継台のユーザは、簡単な操作で、通話側通話路及び保留側通話路を操作することができる。
【図面の簡単な説明】
【図１】本発明の実施の形態を示す中継台システム内部の概略構成を示すブロック図である。
【図２】本実施の形態を示す中継台システムに関わる保留側局間リコール起動メッセージの内容を端的に示す説明図である。
【図３】本実施の形態を示す中継台システムに関わる通話側局間リコール起動メッセージの内容を端的に示す説明図である。
【図４】本実施の形態を示す中継台システムに関わる通話側確保メッセージ（保留側確保メッセージ）の内容を端的に示す説明図である。
【図５】本実施の形態を示す中継台システムに関わる通話応答メッセージ（保留応答メッセージ）の内容を端的に示す説明図である。
【図６】本実施の形態を示す中継台システムの局間リコール起動処理に関わる動作シーケンスである。
【図７】本実施の形態を示す中継台システムの局間リコール起動処理に関わる動作シーケンスである。
【図８】本実施の形態を示す中継台システムの局間リコール起動処理に関わる動作シーケンスである。
【図９】本実施の形態を示す中継台システムの局間リコール起動処理に関わる動作シーケンスである。
【図１０】本実施の形態を示す中継台システムの局間リコール応答処理に関わる動作シーケンスである。
【符号の説明】
１  中継台システム
２  内線端末
２ａ  第１内線端末
２ｂ  第２内線端末
３  中継台
４  通信路
１０Ａ  第１交換機（構内交換機）
１０Ｂ  第２交換機（中継台側構内交換機）
１１Ａ  第１ＴＲＫ（通話路確保手段）
１１Ｂ  第２ＴＲＫ（通話路確保手段）
１５Ａ  第１ＣＰＵ（リコール操作検出手段、通話路確保手段）
１５Ｂ  第２ＣＰＵ（通話路確保手段、報知制御手段、ボタン割当手段）
【図１】
2005033256.tif 000003
【図２】
2005033256.tif 000004
【図３】
2005033256.tif 000005
【図４】
2005033256.tif 000006
【図５】
2005033256.tif 000007
【図６】
2005033256.tif 000008
【図７】
2005033256.tif 000009
【図８】
2005033256.tif 000010
【図９】
2005033256.tif 000011
【図１０】
2005033256.tif 000012